(57)【特許請求の範囲】
【請求項１】
交互に逆方向に折り返した伸縮自在のネットを横引きにより開閉自在として、該ネットの伸縮に応じて、網戸枠におけるネットを取り付けた一方の縦枠部材の下端からその内部に出入りし、張設状態にある該ネットの下端に沿って導出されてその下端をガイドし、該ネットの揺れを抑止する可撓のネットガイドを備え、上記網戸枠と可動框との間に、張紐により上記可動框の姿勢を拘束する平行移動機構を付設した横引き網戸において、
上記平行移動機構が、少なくとも第１及び第２の張紐を備え、
第１の張紐は、その一端をネットガイドの内端に連結し、この張紐を上記ネットガイドが出入する上記一方の縦枠部材の下部に設けた転向子に巻き掛けたうえで該縦枠部材内を折り返し、上部に設けた転向子に巻き掛けて、その先端を上記可動框の上部に連結し、
第２の張紐は、その一端をネットを取り付けていない他方の縦枠部材の上端に取り付け、可動框の上端に設けた転向子に巻き掛けて該可動框内を下方に導き、該可動框の下部において転向子に巻き掛けたうえで、その先端をネットを取り付けた上記一方の縦枠部材の下部に連結した、
ことを特徴とする横引き網戸。
【発明の詳細な説明】
【０００１】
【発明の属する技術分野】
本発明は、交互に逆方向に折り返した伸縮自在のネットを横引きにより開閉自在とした網戸に関するものであり、更に具体的には、該ネットの伸縮に応じて該ネットの下端に沿って導出されるネットガイドを備えた横引き網戸に関するものである。
【０００２】
【従来の技術】
交互に逆方向に折り返した伸縮自在のネットを横引きにより開閉自在として、該ネットの伸縮に応じて、ネットを取り付けた一方の縦枠部材の下端からその内部に出入りし、該ネットの下端に沿って導出されてその下端をガイドし、該ネットの揺れを抑止する可撓のネットガイドを備え、上記網戸枠と可動框との間に、張紐により上記可動框の姿勢を拘束する平行移動機構を付設した横引き網戸は、本発明者らが、特願平１１−３５９５２号において既に提案している。
上記既提案の横引き網戸は、図４に示すように、開閉するネット５４及び可動框５５と共に移動するネットガイド６２を設けているので、ネット５４を折り畳んで収納したときに、建物開口部の下方にネット５４の下端のガイドに要する横枠部材が配置されず、該建物開口部を出入りする者の歩行の障害となるような高さの横枠部材を排除することができる点で有効なものである。
【０００３】
しかしながら、上記既提案の横引き網戸において、可動框５５を平行移動させるための張紐６４ａ，６４ｂを図示のように張設した場合には、可動框５５の開閉操作に伴って縦枠部材５６内を移動する一対の張紐６４ａ，６４ｂが相互に逆方向に走行するため、両張紐６４ａ，６４ｂの接触をさけるようにするとか、張紐の摩擦に対する強度を高めるなどの配慮が必要になり、また、同一の縦枠部材５６内に複数の張紐６４ａ，６４ｂを挿通するので、それらの掛け回しの作業が繁雑になってしまう可能性がある。しかも、張紐６４ｂは、張紐６４ａに比べて比較的長いために、湿度や経年劣化等により張紐に伸びが生じた場合に、再調整しないと可動框５５の円滑な平行移動を確保できなくなり、また、それによって張紐の使用量も多くなるので、製造コストもそれだけ高くなる。
【０００４】
【発明が解決しようとする課題】
本発明の技術的課題は、平行移動機構を構成する張紐の掛け回しをより簡略化することにより、該張紐の掛け回しのための作業を容易にすると共に、張紐の使用量を可及的に減らし、延いては、より容易に且つ安価に製造することができる横引き網戸を提供することにある。
【０００５】
【課題を解決するための手段】
上記課題を解決するための本発明は、交互に逆方向に折り返した伸縮自在のネットを横引きにより開閉自在として、該ネットの伸縮に応じて、網戸枠におけるネットを取り付けた一方の縦枠部材の下端からその内部に出入りし、張設状態にある該ネットの下端に沿って導出されてその下端をガイドし、該ネットの揺れを抑止する可撓のネットガイドを備え、上記網戸枠と可動框との間に、張紐により上記可動框の姿勢を拘束する平行移動機構を付設した横引き網戸において、該平行移動機構が、少なくとも第１及び第２の張紐を備え、第１の張紐は、その一端をネットガイドの内端に連結し、この張紐を上記ネットガイドが出入する上記一方の縦枠部材の下部に設けた転向子に巻き掛けたうえで該縦枠部材内を折り返し、上部に設けた転向子に巻き掛けて、その先端を上記可動框の上部に連結し、第２の張紐は、その一端をネットを取り付けていない他方の縦枠部材の上端に取り付け、可動框の上端に設けた転向子に巻き掛けて該可動框内を下方に導き、該可動框の下部において転向子に巻き掛けたうえで、その先端をネットを取り付けた上記一方の縦枠部材の下部に連結したことを特徴とするものである。
【０００６】
上記構成を有する横引き網戸は、平行移動機構を構成する張紐の掛け回しをより簡略化できるので、該張紐の掛け回しのための作業を容易に行うことができる同時に、張紐に使用する糸の使用量を可及的に減らすことができ、延いては、横引き網戸をより容易に且つ安価に製造することができる。
【０００７】
【発明の実施の形態】
図１乃至図３は、本発明に係る横引き防虫網戸の一実施例を示している。
この網戸は、アコーディオン式に伸縮するネットを横引きにより開閉するもので、図１に示すように、概略的には、網戸枠２と、該網戸枠２内に横開きにより開閉自在に取り付けられた防虫ネット４と、該ネット４の一端に取り付けられた開閉操作用の可動框５とを備えている。
【０００８】
上記網戸枠２は、左右の縦枠部材６，８と上部の横枠部材１０とを有し、該網戸枠２の下部には、上記ネット４の揺れを抑止するネットガイド１２が可動框５の移動に伴って出没するように設けられている。このネットガイド１２は、その一端が可動框５の下端に固定され、可動框の移動に伴う上記ネット４の伸縮に応じて、図において右側の縦枠部材６の内部に出入りし、張設状態にある上記ネット４の下端に沿って導出されてその下端を保持することにより、ネット４の下端の風等による揺れを抑止するものである。
【０００９】
さらに具体的に説明すると、上記ネットガイド１２は、図１及び図２に示すように、弾性のある柔軟な合成樹脂からなる略コ字状断面の押出し材の一部を部分的に切除することによって構成したものであり、すなわち、ネット４の下端に添う底部１２ｂと、ネット４の表裏外面に添って立ち上がり、該底部１２ｂの撓みを可能にするための一定間隔の多数の凹欠部１２ｃを切設した一対の揺れ止め部１２ａ，１２ａとを含む略コ字状断面の長尺材として構成している。
【００１０】
また、上記ネットガイド１２を構成する長尺材の底部１２ｂの裏面には、相対向する略鉤形に形成したガイド用突条１２ｅ，１２ｅを設け、このガイド用突条１２ｅにおける上記凹欠部１２ｃに対応する位置に、底部１２ｂの撓みを容易にする切欠き１２ｆを設けている。上記ガイド用突条１２ｅ，１２ｅは、建物開口部の床面上に歩行の障害にならない敷居の高さ程度のガイド部Ｂを設けて（図３参照）、両ガイド用突条１２ｅ，１２ｅ間にガイド部Ｂを嵌め込むと共に、該ガイド部Ｂの両側に設けた凹部に略鉤形のガイド用突条１２ｅ，１２ｅを係止させることにより、ネットガイド１２の適正な摺動、すなわち上記ネット４の適正な開閉を該ガイド部Ｂに沿って安定的にガイドするものである。
【００１１】
上記ネットガイド１２は、前述したように、ネット４の開閉に伴って縦枠部材６の下端から湾曲させてその内部に出入りさせ、その導出によってネット４の下端をガイドさせるものであるが、かかる観点から、その材質の選定あるいは厚さの調整等により、適度の弾性を有するものとして押出し成形することが必要になる。
【００１２】
一方、上記ネット４は、交互に逆方向に折り返して多数のプリーツをジクザグ状に施すことにより、アコーディオン式に伸縮自在としたもので、その両端を網戸枠２の縦枠部材６及びネット４の開閉操作に供する可動框５に取り付け、該可動框５の操作により開閉するようにしたものである。
【００１３】
上記ネット４の一端に取り付けた可動框５を安定的に平行移動させるため、該可動框５には平行移動機構を付設している。この平行移動機構は、網戸枠２及び可動框５の間に少なくとも２本の張紐１４ａ，１４ｂを張設することにより構成するものであるが、図示したように、それらの間に第３の張紐１４ｃを張設することもできる。
上記第１の張紐１４ａは、その一端をネットガイド１２の内端に連結し、この張紐１４ａを上記ネットガイド１２が出入する縦枠部材６の下部に設けた転向子１６ａに巻き掛けたうえで該縦枠部材６内を上方に折り返し、上部に設けた転向子１６ｂに巻き掛けて、その先端を上記可動框５の上部に設けた転向子１６ｃに巻き掛けて下方に導いたところで、可動框５の上部に連結している。
【００１４】
一方、第２の張紐１４ｂは、その一端をネット４を取り付けていない縦枠部材８の上端に固定部材１７で固定することにより取り付け、可動框５の上端に設けた転向子１６ｄに巻き掛けて該可動框５内を下方に導き、該可動框５の下部において転向子１６ｅに巻き掛けたうえで、その先端をネット４を取り付けた縦枠部材６の下部に連結している。
【００１５】
さらに、第３の張紐１４ｃは、上記第２の張紐１４ｂと同様に、その一端をネット４を取り付けていない縦枠部材８の上端に固定部材１７で固定することにより取り付け、可動框５の上端に設けた転向子１６ｄに巻き掛けて該可動框５内を下方に導き、該可動框５のほぼ中央において転向子１６ｆに巻き掛けてネット４側に導出し、該ネット４を貫通させてその先端を縦枠部材６の中央部に連結している。
この第３の張紐１４ｃは、主に風がネット４に作用することによる該ネット４の弛み等を防止するのに有効なものであり、図示したように１本だけを設けることもできるが、適宜間隔でネット４を貫通する複数本を設けることもでき、それらを平行移動機構の一部としても機能させることができるものである。
【００１６】
上述した張紐１４ａ〜１４ｃがネット４の張設部分において水平方向に張設されている部分においては、それらの張紐１４ａ〜１４ｃをネット４内に挿通することによってネット４の弛みを防止し、ネット４の張設状態を安定化させることができる。また、上記各転向子１６ａ〜１６ｆとしては、張紐１４ａ〜１４ｃとの抵抗が小さい合成樹脂製の摺動部材、あるいはプーリーなどを用いることができる。
【００１７】
上記構成を有する横引き網戸においては、可動框５の開閉操作に際し、張紐１４ａ及びネットガイド１２は、図において可動框５が反時計方向に傾倒するのを抑制し、一方、張紐１４ｂは可動框５の時計方向の傾倒を抑制し、さらに、張紐１４ｃは、主にネット４の弛みを抑制する。しかも、可動框５の左右移動に伴って両張紐１４ａ〜１４ｃの長さに過不足が生じないので、可動框５を円滑に平行移動させることができる。また、この平行移動機構を構成する張紐１４ａ〜１４ｃの掛け回し、より具体的には張紐１４ｂの掛け回しをより簡略化できるので、網戸の組立やメンテナンス作業を簡単化することができると共に、該張紐１４ａ〜１４ｃの使用量を可及的に減らすことができ、当該横引き網戸をより容易に且つ安価に製造することができる。
【００１８】
【発明の効果】
以上に詳述した本発明の横引き網戸によれば、平行移動機構を構成する張紐の掛け回しをより簡略化できるので、該張紐の掛け回しのための作業を容易にすることができると共に、張紐に使用する糸の使用量を可及的に減らすことができ、延いては、横引き網戸をより容易に且つ安価に製造することができる。
【図面の簡単な説明】
【図１】本発明に係る横引き網戸の一実施例を示す縦断面図である。
【図２】図１の平断面図である。
【図３】同Ａ−Ａ線における断面図である。
【図４】従来の横引き網戸を示す縦断面図である。
【符号の説明】
２    網戸枠
４    ネット
５    可動框
６，８    縦枠部材
１０    横枠部材
１２    ネットガイド
１４ａ〜１４ｃ  張紐
１６ａ〜１６ｆ  転向子
【図１】
0003965265.tif 000002
【図２】
0003965265.tif 000003
【図３】
0003965265.tif 000004
【図４】
0003965265.tif 000005